(57)【特許請求の範囲】
【請求項１】
打面である第１上側シンバルを有する第１ハイハットシンバルと、
前記第１ハイハットシンバルの上方に配置されて、打面である第２下側シンバルを有する第２ハイハットシンバルと、
前記第１ハイハットシンバルを開閉する第１シャフトと、
前記第１シャフトと別個に設けられて前記第２ハイハットシンバルを開閉する第２シャフトと、
前記第１シャフトと前記第２シャフトとを連動させる共通のペダルと、を有し、
前記第２シャフトが、前記第２ハイハットシンバルの上方から取り付けられ、
前記第１ハイハットシンバルと前記第２ハイハットシンバルとの間が中空であり、
前記第１上側シンバルが閉じる動作と前記第２下側シンバルが閉じる動作とが連動する、
ことを特徴とするハイハットシンバルシステム。
【請求項２】
前記第１ハイハットシンバルに対する前記第２ハイハットシンバルの位置を、前記第２ハイハットシンバルの半径方向に動かす位置調節部が備えられた、
ことを特徴とする請求項１に記載されたハイハットシンバルシステム。
【請求項３】
前記第１ハイハットシンバルを支持する第１ハイハットスタンドと、
前記第１ハイハットスタンドに隣接して取り付けられて前記第１ハイハットスタンドよりも長手であって、前記第２ハイハットシンバルを支持する第２ハイハットスタンドと、を有し、
前記第２シャフトに連結されたワイヤーが、前記第２ハイハットスタンドの内側に通され、かつ、前記ペダルにおいて前記第１シャフトが連結された部位よりも前記ペダルの可動軸から離れた箇所に連結されると共に、前記第２下側シンバルに連結された、
ことを特徴とする請求項１又は請求項２に記載されたハイハットシンバルシステム。
【発明の詳細な説明】
【技術分野】
【０００１】
本発明は、打楽器のひとつであるシンバルを用いたハイハットシンバルシステムに関するものである。
【背景技術】
【０００２】
従来、ドラムセットにおけるハイハットシンバルは、上下一対のシンバルで構成され、ハイハットスタンドに取り付けられている。ハイハットスタンドのペダルが踏み込まれると、シャフトを介してペダルと連動する上側のトップシンバルが下降し、トップシンバルと下側のボトムシンバルとが閉じた状態となる。演奏者は、スティックを上から振り下ろしてトップシンバルを叩き、演奏する。
【０００３】
下記特許文献１に記載された倍速演奏用ハイハットシンバルアタッチメント（以下、「特許文献１発明」と記す。）は、二組のハイハットシンバルが、上下に配置されると共に共通のスタンドパイプで支持されている。シャフトには、下側のハイハットシンバルのトップシンバルと、上側のハイハットシンバルのボトムシンバルとが固定されている。ペダルが踏まれると、下側のハイハットシンバルが閉じ、上側のハイハットシンバルが開き、一方で、ペダルが解放されると、下側のハイハットシンバルが開き、上側のハイハットシンバルが閉じる。すなわち、ペダルを操作することで、二組のハイハットシンバルのいずれかが必ず閉じるため、スティックで打つことなく、ハイハットシンバルによる倍速演奏が可能となる。
【０００４】
下記特許文献２に記載された打楽器取付装置（以下、「特許文献２発明」と記す。）は、特許文献１発明と同様に、上下に配置された二組のハイハットシンバルが、共通のスタンドパイプで支持されているが、特許文献１発明と異なり、シャフトには、上下のハイハットシンバルのうち、それぞれのトップシンバルが固定されている。ペダルが踏まれると、上下いずれのハイハットシンバルも閉じるし、ペダルが解放されると、上下いずれのハイハットシンバルも開く。
【先行技術文献】
【特許文献】
【０００５】
【特許文献１】特開平１１−１４３４５８号公報
【特許文献２】特開昭５４−７４７２３号公報
【発明の概要】
【発明が解決しようとする課題】
【０００６】
上記したとおり、特許文献１発明は、ペダルを操作することで、二組のハイハットシンバルを交互に演奏するものであるため、二組のハイハットシンバルの演奏において、スティックの使用を前提としていない。すなわち、片方のハイハットシンバルが開く（オープンハイハット）と、もう片方のハイハットシンバルは必然的に閉じる（クローズドハイハット）のであるから、スティックで演奏する場合は、オープンハイハット又はクローズドハイハットであり、例えば、スティックを用いたクローズドハイハットの二重奏法は不可能である。
【０００７】
一方で、特許文献２発明は、ペダルを操作することで、二組のハイハットシンバルを同時に演奏するものであり、ペダルが解放されれば、両ハイハットシンバルが開き、ペダルが踏まれれば両ハイハットシンバルが閉じるため、スティックを用いれば、クローズドハイハットの二重奏法が可能であるかもしれない。しかし、両ハイハットシンバルとも、対のうち下側のシンバルがスタンドパイプに固定され、上側のシンバルが下降して閉じる構造であるため、一般的には、可動である上側のシンバルがスティックによる打面となるのだから、結局のところ、特許文献２発明は、単に二つのシンバルを叩く奏法を実現できるに過ぎない。また、上側のハイハットシンバルを支持するためのアームが、下側のハイハットシンバルの周囲に配置されているため、仮に、演奏者がスティックを用いて両手で下側のハイハットシンバルを叩こうとすれば、スティックの可動域がアームによって著しく制限され、演奏者は、理想とする演奏を追求することができない。
【０００８】
すなわち、特許文献１発明及び２発明は、ペダルを用いて両ハイハットシンバルを交互又は同時に演奏することを実現したものであるが、結局のところ、ペダルの操作でハイハットシンバルを鳴らすものであって、スティックを用いて二組のハイハットシンバルの演奏を実現することを想定していない。
【０００９】
本発明は、上記の実情に鑑みて提案されたものである。すなわち、スティックを用いて従来にない新たな奏法を実現することができるハイハットシンバルシステムの提供を目的とする。
【課題を解決するための手段】
【００１０】
本発明に係るハイハットシンバルシステムは、打面である第１上側シンバルを有する第１ハイハットシンバルと、前記第１ハイハットシンバルの上方に配置されて、打面である第２下側シンバルを有する第２ハイハットシンバルと、前記第１ハイハットシンバルを開閉する第１シャフトと、前記第１シャフトと別個に設けられて前記第２ハイハットシンバルを開閉する第２シャフトと、前記第１シャフトと前記第２シャフトとを連動させる共通のペダルと、を有し、前記第１上側シンバルが閉じる動作と前記第２下側シンバルが閉じる動作とが連動する、ことを特徴とする。
【００１１】
本発明に係るハイハットシンバルシステムは、前記第２シャフトが、前記第２ハイハットシンバルの上方から取り付けられ、前記第１ハイハットシンバルと前記第２ハイハットシンバルとの間が中空であり、前記第１ハイハットシンバルに対する前記第２ハイハットシンバルの位置を、前記第２ハイハットシンバルの半径方向に動かす位置調節部が備えられた、ことを特徴とする。
【００１２】
本発明に係るハイハットシンバルシステムは、前記第２ハイハットシンバルのうち上側である第２上側シンバルよりも下方において、前記第２シャフトに錘が取り付けられた、ことを特徴とする。
【００１３】
本発明に係るハイハットシンバルシステムは、前記第１ハイハットシンバルを支持する第１ハイハットスタンドと、前記第１ハイハットスタンドに隣接して取り付けられて前記第１ハイハットスタンドよりも長手であって、前記第２ハイハットシンバルを支持する第２ハイハットスタンドと、を有し、前記第２シャフトに連結されたワイヤーが、前記第２ハイハットスタンドの内側に通され、かつ、前記ペダルにおいて前記第１シャフトが連結された部位よりも前記ペダルの可動軸から離れた箇所に連結されると共に、前記第２下側シンバルに連結された、ことを特徴とする。
【発明の効果】
【００１４】
本発明に係るハイハットシンバルシステムは、打面である第１上側シンバルを有する第１ハイハットシンバルと、第１ハイハットシンバルの上方に配置されて、打面である第２下側シンバルを有する第２ハイハットシンバルと、第１ハイハットシンバルを開閉する第１シャフトと、第１シャフトと別個に設けられて第２ハイハットシンバルを開閉する第２シャフトと、第１シャフトと第２シャフトとを連動させる共通のペダルとを有し、第１上側シンバルが閉じる動作と第２下側シンバルが閉じる動作とが連動するものである。すなわち、両ハイハットシンバルは、対面した側のシンバルが打面である。演奏者は、スティックで第１ハイハットシンバルの第１上側シンバルを叩き、次いで第２ハイハットシンバルの第２下側シンバルを叩き、次いで、再び第１上側シンバルを叩く。演奏者は、この動作を連続し、両シンバル間において片方のスティックを往復させることで、１６ビートを演奏することができる。さらに、タイミングをずらしながら両方のスティックを往復させることで、３２ビートを演奏することも可能となる。さらに、第１上側シンバルを叩いて８ビートを演奏している最中に、片手の往復の振りを変えることなくアクセントとして第２下側シンバルを叩くことで、楽曲に表情を与えるような演奏をすることも可能となる。
【００１５】
なお、一般的なハイハットシンバルにおける奏法では、８ビートであれば、演奏者は、片方のスティックでハイハットシンバルのうちの上側のシンバルを叩いて実現できるが、１６ビートの場合、演奏者は、両方のスティックで上側のシンバルを叩いて実現する。３２ビートに至っては、一般的には、両方のスティックを用いたとしても、ビートとしてリズムを刻むことの実現は不可能である。
【００１６】
本発明に係るハイハットシンバルシステムは、打面である第１上側シンバルと第２下側シンバルとが、各シャフトに連動することから、例えば、演奏者は、各ハイハットシンバルが半開きの状態（ハーフオープン）にしてシンバルを叩き、素早く各ハイハットシンバルを閉じる奏法が可能となる。この奏法は、打面側を可動として各ハイハットシンバルを閉じることで実現することができ、音に余韻を持たせながら瞬時に音を断つことができる。具体的には、片手でクローズドハイハットにて８ビート又は１６ビートでリズムを刻んでいる過程で、通常の腕の振りの中にて演奏者が振り上げたタイミングの意図した箇所で、上段である第２ハイハットシンバルをハーフオープンで叩き、その直後に、スティックが下段の第１ハイハットシンバルに到達するタイミングで素早くクローズさせる、という奏法である。
【００１７】
本発明に係るハイハットシンバルシステムは、第２シャフトが、第２ハイハットシンバルの上方から取り付けられ、第１ハイハットシンバルと第２ハイハットシンバルとの間が中空であり、第１ハイハットシンバルに対する第２ハイハットシンバルの位置を、第２ハイハットシンバルの半径方向に動かす位置調節部が備えられている。すなわち、位置調節部によって、第２ハイハットシンバルの位置を、任意に設定することができれば、演奏者は、各ハイハットシンバル間において上下に振ったスティックを、確実に第２下側シンバルに当てることができる。また、第２シャフトが、第２ハイハットシンバルの上方から取り付けられ、各ハイハットシンバルの間に何らの障害物もないことから、演奏者は、両シンバル間において、快適にスティックを振ることができる。
【００１８】
本発明に係るハイハットシンバルシステムは、第２ハイハットシンバルのうち上側である第２上側シンバルよりも下方において、第２シャフトに錘が取り付けられている。この構成により、閉じた第２ハイハットシンバルが開く際、錘の重力が作用する分、第２下側シンバルが素早く下降する。したがって、第２ハイハットシンバルの開閉を瞬時に切り替えることができる。
【００１９】
本発明に係るハイハットシンバルシステムは、第１ハイハットシンバルを支持する第１ハイハットスタンドと、第１ハイハットスタンドに隣接して取り付けられて第１ハイハットスタンドよりも長手であって、第２ハイハットシンバルを支持する第２ハイハットスタンドとを有し、第２シャフトに連結されたワイヤーが、第２ハイハットスタンドの内側に通され、かつ、ペダルにおいて第１シャフトが連結された部位よりもペダルの可動軸から離れた箇所に連結されると共に、第２下側シンバルに連結されている。この構成により、演奏者がペダルを踏むことで、各シャフトと共に各ハイハットシンバルが連動する。また、第１ハイハットスタンドから独立して、第２ハイハットシンバルが第２ハイハットスタンドに支持されているため、第２ハイハットシンバルを任意に配置することができる。さらに、ワイヤーが、第２ハイハットスタンドの内側に通されているため、外観がシンプルである。
【図面の簡単な説明】
【００２０】
【図１】図１は、本発明の実施形態に係るハイハットシンバルシステムの外観図である。
【図２】図２は、本発明の実施形態に係るハイハットシンバルシステムを構成するペダルの外観斜視図である。
【発明を実施するための形態】
【００２１】
以下、本発明の実施形態に係るハイハットシンバルシステムを図面に基づいて説明する。図１は、ハイハットシンバルシステム１の全体が示され、図２は、ハイハットシンバルシステム１のペダル２１が示されている。
【００２２】
図１に示されているとおり、ハイハットシンバルシステム１は、第１ハイハットスタンド２と、この第１ハイハットスタンド２に支持された第１ハイハットシンバル９と、第１ハイハットスタンド２に隣接して取り付けられて第１ハイハットスタンド２よりも長手である第２ハイハットスタンド６と、この第２ハイハットスタンド６に支持されたワイヤー付シャフト機構１６と、このワイヤー付シャフト機構１６に支持された第２ハイハットシンバル１２とを有している。第１ハイハットスタンド２は、第１ハイハットシンバル９を開閉する第１シャフト５と、この第１シャフト５とワイヤー付シャフト機構１６の第２シャフト２０とを連動させる共通のペダル２１とを有している。第２ハイハットシンバル１２は、第１ハイハットシンバル９の上側に、間を空けて対面して配置されている。なお、第１ハイハットスタンド２は、ペダル２１が第２シャフト２０と連動する点を除けば、従来と同じである。
【００２３】
第１ハイハットシンバル９は、一対のシンバルであり、打面である第１上側シンバルとしての第１トップシンバル１０と、第１下側シンバルとしての第１ボトムシンバル１１とを有している。第２ハイハットシンバル１２は、一対のシンバルであり、打面である第２下側シンバルとしての第２ボトムシンバル１４と、固定側である第２上側シンバルとしての第２トップシンバル１３を有している。各ハイハットシンバル９，１２は、任意のサイズであり、同径でもよいし異なっていてもよい。
【００２４】
第１ハイハットスタンド２は、棒状の第１スタンドパイプ３に第１シャフト５が内蔵され、脚部４によって第１スタンドパイプ３が支持されている。脚部４は、三脚でも二脚でもよい。第１スタンドパイプ３は、長さを変化させるための長さ調節部３４を有し、上端に第１ハイハットシンバル９が支持されている。詳説すれば、第１ボトムシンバル１１は、第１スタンドパイプ３の上端において、フェルトワッシャー（図示省略。）を介して支持されている。第１トップシンバル１０は、両面にフェルトワッシャー２９を介して、第１シャフト５にクラッチ２６で取り付けられている。なお、第１ボトムシンバル１１の角度、第１トップシンバル１０の揺れ具合、第１ボトムシンバル１１に対する第１トップシンバル１０の間隔は任意である。
【００２５】
第２ハイハットスタンド６は、スタンド本体部７と、このスタンド本体部７の上部に連結されたアーム部８とを有している。スタンド本体部７は、長手の棒状であり、長さを変化させるための長さ調節部３４を有している。スタンド本体部７は、第１ハイハットスタンド２とほぼ平行に配置されて、連結具２８を介して第１ハイハットスタンド２と連結されている。アーム部８は、ウイングナット２７を有した複数の関節である位置調節部３３を有し、ウイングナット２７を介してスタンド本体部７に取り付けられ、スタンド本体部７から側方に向けて伸びている。アーム部８の先端部は、第２ハイハットシンバル１２を開閉するワイヤー付シャフト機構１６が連結されている。ワイヤー付シャフト機構１６は、スタンド本体部７の内側に通されたワイヤーケーブル１７と、このワイヤーケーブル１７の一端側に連結されたペダル側シリンダー１８（図２参照。）と、ワイヤーケーブル１７の他端側に連結されたシンバル側シリンダー１９と、このシンバル側シリンダー１９に内蔵された第２シャフト２０とを有している。ワイヤーケーブル１７は、スタンド本体部７の上端から挿入され、スタンド本体部７の一部に開口された孔から外側に出ている。ワイヤーケーブル１７は、ペダル２１との連動が円滑となるように緩やかな曲線を描いて取り付けられている。第２シャフト２０は、シンバル側シリンダー１９の内側に通されて外側に突出している。シンバル側シリンダー１９は、アーム部８の先端部に連結され、第２シャフト２０が下側に向けられた状態で、下端に第２ハイハットシンバル１２が支持されている。すなわち、第２シャフト２０は、第２ハイハットシンバル１２の上方から取り付けられている。
【００２６】
第２トップシンバル１３は、シンバル側シリンダー１９の下端において、両面にフェルトワッシャー２９を介して、シンバル脱落防止ナット１５で固定されている。第２ボトムシンバル１４は、両面にフェルトワッシャー２９を介して、第２シャフト２０にクラッチ２６で取り付けられている。第２シャフト２０は、第２ボトムシンバル１４を貫通した先端に、錘３０が取り付けられている。なお、錘３０の位置は、第２ハイハットシンバル１２のうち、第２トップシンバル１３よりも下方であれば、任意である。また、第２トップシンバル１３の角度、第２ボトムシンバル１４の揺れ具合、第２トップシンバル１３に対する第２ボトムシンバル１４の間隔は任意である。但し、各ハイハットシンバル９，１２が閉じるタイミングを一致させる必要があるため、各シンバル１３，１４と１０，１１の間隔は、予め適宜調節される。
【００２７】
ハイハットシンバルシステム１は、第１シャフト５及び第２シャフト２０が別個に設けられ、第１シャフト５を構成する第１ハイハットスタンド２と、第２シャフト２０を有したワイヤー付シャフト機構１６を支持する第２ハイハットスタンド６とが別個に設けられているため、第１ハイハットシンバル９と第２ハイハットシンバル１２との間が中空である。換言すれば、各ハイハットシンバル９，１２は、共通のシャフトによって連動するものでもないし、また、カップ３１からエッジ３２に至る打面において、第１トップシンバル１０と第２ボトムシンバル１４との間には、何らの器具も存在していない。各ハイハットシンバル９，１２の打面は、円周方向における何れの位置であっても、中空である。
【００２８】
図２に示されているとおり、ペダル２１は、ベース体２２に、可動軸２３を介して連結されている。ペダル２１は、可動軸２３から斜めに伸びており、先端部２４に、第１シャフト５と連結された第１シャフトチェーン３５が連結され、かつ、この第１シャフトチェーン３５が連結された部位よりも可動軸２３から離れた最先端部２５に、ペダル側シリンダー１８においてワイヤーケーブル１７と連結された第２シャフトチェーン３６が連結されている。この状態で、ペダル２１が踏み込まれると、ペダル２１によって、第１シャフトチェーン３５を介して第１シャフト５が引っ張れると共に、第２シャフトチェーン３６及びワイヤーケーブル１７を介して第２シャフト２０が引っ張られる。したがって、第１シャフト５に連結された第１ハイハットシンバル９が閉じる動作と、第２シャフト２０に連結された第２ハイハットシンバル１２が閉じる動作とが連動する。なお、第１シャフトチェーン３５と同調できるのであれば、ペダル２１における第２シャフトチェーン３６の連結位置は、任意である。また、各シャフトチェーン３５，３６の材質は任意である。
【００２９】
以上のとおり、ハイハットシンバルシステム１が構成されている。
【００３０】
次に、ハイハットシンバルシステム１の効果を説明する。
【００３１】
上記したとおり、ハイハットシンバルシステム１は、第１ハイハットシンバル９と第２ハイハットシンバル１２とを有し、各ハイハットシンバル９，１２が上下に配置されている。第１ハイハットシンバル９は、打面である第１トップシンバル１０が上側に配置され、第２ハイハットシンバル１２は、打面である第２ボトムシンバル１４が下側に配置されている。すなわち、両ハイハットシンバル９，１２は、対面した側のシンバルが打面である。演奏者（図示省略。）は、スティック（図示省略。）で第１トップシンバル１０を叩き、次いで第２ボトムシンバル１４を叩き、次いで、再び第１トップシンバル１０を叩く。演奏者は、この動作を連続し、両シンバル１０，１４間において片方のスティックを往復させることで、１６ビートを演奏することができる。さらに、例えば、右手のスティックで第１トップシンバル１０を叩き、左手のスティックで第１トップシンバル１０を叩き、右手のスティックで第２ボトムシンバル１４を叩き、左手のスティックで第２ボトムシンバル１４を叩く動作を繰り返し、タイミングをずらしながら両方のスティックを往復させることで、３２ビートを演奏することも可能となる。ハイハットシンバルシステム１では、片方のスティックで第１トップシンバル１０を叩くことで、従来どおり８ビートを演奏することができるのは勿論であるため、演奏者の奏法に応じて、８ビートから３２ビートを実現することができる。さらに、従来どおり第１トップシンバル１０を叩いて８ビートを演奏する場合であっても、演奏の最中に、片手の往復の振りを変えることなくアクセントとして第２ボトムシンバル１４を叩くことで、楽曲に表情を与えるような演奏をすることも可能となる。
【００３２】
また、第１ハイハットスタンド２から独立して、第２ハイハットシンバル１２が、ワイヤー付シャフト機構１６の第２シャフト２０を介して第２ハイハットスタンド６に支持されているため、第２ハイハットシンバル１２を、前後左右に傾けて任意に配置することができる。さらに、位置調節部３３によって、第２ハイハットシンバル１２をシンバルの半径方向に移動させることで、演奏者側において、第２ハイハットシンバル１２におけるエッジ３２の位置を、第１ハイハットシンバル９におけるエッジ３２の位置に対し、自由に好みの位置に変えることができるため、演奏者は、両シンバル１０，１４間において上下に振ったスティックを、確実に第２ボトムシンバル１４に当てることができる。すなわち、両ハイハットシンバル９，１２のサイズが異なっていた場合であっても、位置調節部３３によって第２ハイハットシンバル１２のエッジ３２を適切な位置に配置することで、演奏者は、スティックを確実に第２ボトムシンバル１４に当てることができる。なお、演奏者は、通常の腕の振りで第１ハイハットシンバル９のみを叩くことが可能であるが、肘の位置にて腕の角度を変えることで、両ハイハットシンバル９，１２の間を往復して叩くことができる。
【００３３】
第１ハイハットスタンド２のペダル２１は、第１ハイハットシンバル９を開閉する第１シャフト５が第１シャフトチェーン３５を介して連結され、かつ、第２ハイハットシンバル１２を開閉する第２シャフト２０がワイヤーケーブル１７及び第２シャフトチェーン３６を介して連結されている。この構成により、ペダル２１が操作されることで、打面である第１トップシンバル１０と第２ボトムシンバル１４とが、各シャフト５，２０に連動することから、例えば、演奏者は、ハーフオープンで第１トップシンバル１０又は第２ボトムシンバル１４を叩き、素早く各ハイハットシンバル９，１２を閉じる奏法が可能となる。この奏法によれば、音に余韻を持たせながら瞬時に音を断つことができる。
【００３４】
ハイハットシンバルシステム１では、第１シャフト５及び第２シャフト２０が別個に設けられ、第２シャフト２０は、第２ハイハットシンバル１２の上方から取り付けられている。さらに、第１シャフト５を構成する第１ハイハットスタンド２と、第２シャフト２０を構成するワイヤー付シャフト機構１６とが別個に設けられている。そのため、第１ハイハットシンバル９と第２ハイハットシンバル１２との間が中空である。すなわち、各ハイハットシンバル９，１２は、共通のシャフトによって連動するものでもないし、また、カップ３１からエッジ３２に至る打面において、第１トップシンバル１０と第２ボトムシンバル１４との間には、何らの器具も存在せず、何らの障害物もないことから、演奏者は、両シンバル１０，１４間において、快適にスティックを振ることができる。
【００３５】
ハイハットシンバルシステム１では、第２シャフト２０は、第２ボトムシンバル１４を貫通した先端に、錘３０が取り付けられている。この構成により、閉じた第２ハイハットシンバル１２が開く際、錘３０の重力が作用する分、第２ボトムシンバル１４が素早く下降する。したがって、第２ハイハットシンバル１２が閉じた状態から開いた状態に瞬時に切り替えることができる。このように、第２ハイハットシンバル１２を開く際、錘３０の重力を用いれば、コイルバネ等の弾性力を要さず、シンバル側シリンダー１９にコイルバネを内蔵する必要もないため、シンバル側シリンダー１９をコンパクトにすることができる。また、ワイヤーケーブル１７が、スタンド本体部７の内側に通されているため、外観がシンプルとなる。
【００３６】
なお、本発明に係る他の実施形態では、錘３０の代わりに、第２ボトムシンバル１４をコイルバネの弾性力で第２トップシンバル１３から離す。この場合、シンバル側シリンダー１９にコイルバネが内蔵されている。また、上記した本実施形態では、第１シャフト５の牽引と干渉しない位置として、ペダル２１の最先端部２５に第２シャフトチェーン３６が接続されているが、他の実施形態では、第１シャフト５におけるいずれかの可動箇所からステーを取り、ワイヤーケーブル１７と連結させる。すなわち、単一のペダル２１の踏み込みによって、二組のハイハットシンバル９，１２が連動する構成であれば、ペダル２１と各シャフトチェーン３５，３６との連結の態様は任意である。
【００３７】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３８】
１    ハイハットシンバルシステム
２    第１ハイハットスタンド
３    第１スタンドパイプ
４    脚部
５    第１シャフト
６    第２ハイハットスタンド
７    スタンド本体部
８    アーム部
９    第１ハイハットシンバル
１０  第１トップシンバル（第１上側シンバル）
１１  第１ボトムシンバル（第１下側シンバル）
１２  第２ハイハットシンバル
１３  第２トップシンバル（第２上側シンバル）
１４  第２ボトムシンバル（第２下側シンバル）
１５  シンバル脱落防止ナット
１６  ワイヤー付シャフト機構
１７  ワイヤーケーブル
１８  ペダル側シリンダー
１９  シンバル側シリンダー
２０  第２シャフト
２１  ペダル
２２  ベース体
２３  可動軸
２４  先端部
２５  最先端部
２６  クラッチ
２７  ウイングナット
２８  連結具
２９  フェルトワッシャー
３０  錘
３１  カップ
３２  エッジ
３３  位置調節部
３４  長さ調節部
３５  第１シャフトチェーン
３６  第２シャフトチェーン
【要約】
【課題】スティックを用いて従来にない新たな奏法を実現することができるハイハットシンバルシステムを提供する。
【解決手段】ハイハットシンバルシステム１は、第１ハイハットシンバル９と第２ハイハットシンバル１２とが上下に配置され、第１ハイハットシンバル９は、打面である第１トップシンバル１０が上側に配置され、第２ハイハットシンバル１２は、打面である第２ボトムシンバル１４が下側に配置されている。各ハイハットシンバル９，１２は、それぞれシャフト５，２０が連結され、ペダル２１の操作によって、両シンバル１０，１４が連動する。演奏者は、両シンバル１０，１４間において、スティックを往復させて両シンバル１０，１４を打つことで、片手で１６ビート、両手で３２ビートを演奏することができる。
【選択図】図１【図１】
0006766281.tif 000002
【図２】
0006766281.tif 000003